(57)【特許請求の範囲】
【請求項１】
外部メモリ記憶媒体が装着される装着部と、
上記装着部に装着された上記外部メモリ記憶媒体から読出した画像データを蓄積する記憶部と、
上記記憶部に記憶された画像データをデコードするデコード部と、
上記デコード部によりデコードされた画像データを表示させる表示部と、
当該画像表示装置を起動した際に、上記装着部に上記外部メモリ記憶媒体が装着されていることを検出したとき、この装着された上記外部メモリ記憶媒体に記憶された画像データを自動的に読出して上記記憶部に蓄積させ、その蓄積された画像データを読出して上記デコード部でデコードを行った後、デコードされた画像データを上記表示部に表示させると共に、上記記憶部から読出した画像データが末尾になったとき、上記記憶部からの画像データの先頭からの読出しを繰り返し行う制御部とを有し、
上記制御部は、上記記憶部から読出した画像データが末尾になったとき、上記装着部に新たな外部メモリ記憶媒体の装着があるかを判断し、新たな外部メモリ記憶媒体の装着がある場合、その装着された外部メモリ記憶媒体から画像データを読出して上記記憶部に蓄積させ、その蓄積された画像データを読出して上記デコード部でデコードを行った後、デコードされた画像データを上記表示部に表示させる
画像表示装置。
【請求項２】
外部メモリ記憶媒体が装着される装着部と、上記装着部に装着された上記外部メモリ記憶媒体から読出した画像データを蓄積する記憶部と、上記記憶部に蓄積された画像データを表示する表示部とを有する画像再生装置における画像再生方法であって、
上記画像再生装置を起動した際に、上記装着部に上記外部メモリ記憶媒体が装着されていることを検出したときに自動的に上記外部メモリ記憶媒体から画像データを読み出す読み出しステップと、
上記読み出しステップにて読み出されて上記記憶部に蓄積された画像データをデコードするデコードステップと、
上記デコードステップによりデコードされた画像データを表示させる表示ステップと、
上記デコードステップで上記記憶部から読み出した画像データが末尾になったとき、上記記憶部からの画像データの先頭からの読み出しを繰り返し実行させる繰り返しステップとを有し、
上記繰り返しステップで、上記記憶部から読出した画像データが末尾になったと判断したとき、上記装着部に新たな外部メモリ記憶媒体の装着があるかを判断し、新たな外部メモリ記憶媒体の装着がある場合、その装着された外部メモリ記憶媒体から画像データを読み出して上記記憶部に蓄積させ、その蓄積された画像データを読出してデコードを行った後、デコードされた画像データを上記表示部に表示させる処理を行う
画像再生方法。
【発明の詳細な説明】
【技術分野】
【０００１】
本発明は、例えば比較的小型の液晶画像表示パネルを備えたものに適用して好適な画像表示装置及び画像再生方法に関する。
【背景技術】
【０００２】
従来、モニタ受像機などの画像表示装置で、予め用意されたビデオプログラムとしての動画像や静止画像を表示させる場合には、ビデオテープ再生装置やビデオディスク再生装置などの映像信号再生装置を、画像表示装置に接続して、その再生装置でビデオプログラムを再生することで、画像表示装置に画像を表示させるようにしていた。この場合、受像機とビデオテープ再生装置が一体化された構成のものも実用化されている。
【０００３】
このような画像表示装置と再生装置とを接続したもの（或いは一体化された装置）を設置することで、例えば商店で販売する商品を説明したり宣伝したりするビデオプログラムを流すことが可能になる。
【発明の開示】
【発明が解決しようとする課題】
【０００４】
ところで、ビデオテープ再生装置やビデオディスク再生装置などの映像信号再生装置は、比較的構成が複雑な装置であり、大型であると共に機構が複雑であり、小型化には限界がある。従って、商店などに設置する場合には、比較的大きな設置スペースが必要である問題があった。
【０００５】
また、ビデオテープやビデオディスクを媒体として使用した従来の再生装置は、回転する機構部などを備えているため、経時変化による劣化がある問題があり、例えば商店や街頭などで長期間連続して再生させる用途に適しているとは必ずしも言えない。
【０００６】
本発明の目的は、宣伝などを行うために再生するのに適した画像表示装置を提供することにある。
【課題を解決するための手段】
【０００７】
本発明は、外部メモリ記憶媒体が装着される装着部と、
上記装着部に装着された上記外部メモリ記憶媒体から読出した画像データを蓄積する記憶部と、
上記記憶部に記憶された画像データをデコードするデコード部と、
上記デコード部によりデコードされた画像データ表示させる表示部と、
当該画像表示装置を起動した際に、上記装着部に上記外部メモリ記憶媒体が装着されていることを検出したとき、この装着された上記外部メモリ記憶媒体に記憶された画像データを自動的に読出して上記記憶部に蓄積させ、その蓄積された画像データを読出して上記デコード部でデコードを行った後、上記デコードされた画像データを上記表示部に表示させると共に、上記記憶部から読出した画像データが末尾になったとき、上記記憶部からの画像データの先頭からの読出しを繰り返し行う制御部とを有するものである。
この場合、制御部は、上記記憶部から読出した画像データが末尾になったとき、上記装着部に新たな外部メモリ記憶媒体の装着があるかを判断し、新たな外部メモリ記憶媒体の装着がある場合、その装着された外部メモリ記憶媒体から画像データを読出して上記記憶部に蓄積させ、その蓄積された画像データを読出して上記デコード部でデコードを行った後、デコードされた画像データを上記表示部に表示させる。
【発明の効果】
【０００８】
本発明によると、装着部に装着された外部メモリ記憶媒体から読出した画像データが、記憶部に一旦蓄積されて、その蓄積された画像データが表示部で繰り返し表示されるようになる。従って、装着部に一度画像データが記憶された記憶媒体を装着するだけで、以後は自動的に繰り返し画像が表示されるようになり、画像による宣伝などが簡単に行える。
【０００９】
また本発明によると、画像の表示と同時に音声を出力するので、画像と音声による宣伝などが簡単に行える。
【発明を実施するための最良の形態】
【００１０】
以下、本発明の一実施の形態を、添付図面を参照して説明する。
【００１１】
図１は、本実施の形態による画像表示装置の構成を示すブロック図であり、図２はその画像表示装置の形状の一例を示してある。本例においては、図２に示すように、画面の対角線の長さが数インチ程度の比較的小型の液晶表示パネル１６を備えた画像表示装置１０として構成してあり、この画像表示装置１０には外部メモリ１を装着するための挿入部１１ａが上端に設けてある。ここで使用される外部メモリ１は、スティック状の樹脂ケースに半導体メモリが収納されたメモリ装置であり、例えば１個の外部メモリ１に８Ｍバイト或いはそれ以上のデータを記憶できる半導体メモリが収納させてあり、所定の位置にデータ書込み，読出し用の端子（図示せず）を備える。
【００１２】
この画像表示装置１０の内部の構成を、図１を参照して説明すると、本例の画像表示装置１０は、既に説明したスティック状の外部メモリ１が装着できる外部メモリ装着部１１を備え、この外部メモリ装着部１１に装着された外部メモリ１の記憶データが、データ読出し回路１６により読出されて、画像表示装置１０内に設けられた内部メモリ１３にその読出されたデータが記憶される構成としてある。この外部メモリ１からのデータ読出しと内部メモリ１３へのデータ記憶は、コントローラ１９に制御により実行される。
【００１３】
本例のデータ読出し回路１６により外部メモリ１から読出されて内部メモリ１３に記憶されるデータは、画像データと音声データである。ここでは例えばＭＰＥＧ１（Moving Picture Expers Group １）方式により圧縮符号化された画像データ及び音声データを外部メモリ１から読出して、内部メモリ１３に記憶させるようにしてある。ＭＰＥＧ１方式により符号化された画像データ及び音声データの場合には、例えば外部メモリ１の記憶容量が８Ｍバイトであるとき、少なくとも約１分間の動画像データと音声データを記憶させることができる。
【００１４】
内部メモリ１３は、この画像表示装置１０に装着される外部メモリ１の記憶容量と同じか、それよりも大きな容量を有し、外部メモリ１からのデータ記憶時には、外部メモリ１に記憶された全ての画像データと音声データを内部メモリ１３が記憶するようにコントローラ１９が制御する。ここで、外部メモリ１の記憶容量が８Ｍバイトである場合を想定すると、例えばこの外部メモリ１から記憶データを全て読出して、内部メモリ１３に記憶させるのに数分程度かかる。但し、外部メモリ１のデータ転送速度によっては、より早い時間で転送が終了する場合もある。
【００１５】
内部メモリ１３に記憶された画像データは、コントローラ１９の制御で画像・音声デコーダ１４に読出されて、このデコーダ１４でＭＰＥＧ１方式の画像用デコード処理と音声用デコード処理が行われ、所定の方式のアナログ映像信号（ここではアナログＲＧＢ信号）とアナログ音声信号に変換される。画像・音声デコーダ１４が出力するアナログ映像信号は、液晶ドライバ１５に供給されて、液晶表示パネル１６で画像を表示させるための駆動が行われる。
【００１６】
また、画像・音声デコーダ１４でデコードされて出力されるアナログ音声信号は、増幅回路１７を介してスピーカ１８に供給し、スピーカ１８から放音させる。このスピーカ１８は、例えば図２に示すように、画像表示装置１０の前面の所定位置に配置などに配置してあり、この画像表示装置１０の近傍にいる者が聞き取ることができるようにしてある。
【００１７】
なお、本例の画像表示装置１０は、例えば１００Ｖなどの商用交流電源を入力として作動する電源回路（図示せず）を備えて、その電源回路で商用交流電源を整流・変圧した直流低圧電源で作動する構成としてある。また、本例の画像表示装置１０は、操作スイッチなどの操作部を設けてなく、電源回路に商用交流電源が供給される限り、内部メモリ１３に記憶された画像の表示と音声の出力を繰り返し行う構成としてある。また、外部メモリ装着部１１に新たに外部メモリ１が装着されたときには、コントローラ１９の制御で、その装着された外部メモリ１から画像データや音声データを読出して、内部メモリ１３の記憶データを更新するようにしてある。
【００１８】
次に、本例の画像表示装置１０で画像を表示させる場合の処理を、図３のフローチャートを参照して説明する。まず、本例の画像表示装置１０の電源回路に接続された電源プラグを、交流電源用のコンセントに接続して、画像表示装置１０に電源が供給されて内部の回路が作動するようになると、コントローラ１９は外部メモリ装着部１１に外部メモリ１が装着されているか否か判断する（ステップ１００）。ここで、外部メモリ１が装着されていると判断したときには、その装着されている外部メモリ１に記憶されているデータを、コントローラ１９の制御でデータ読出し回路１６が読出し（ステップ１０１）、その読出したデータを内部メモリ１３に蓄積させる（ステップ１０２）。このとき、既に内部メモリ１３に記憶されているデータがある場合には、その記憶されているデータを消去して、外部メモリ１から供給されるデータを、内部メモリ１３の先頭アドレスから順に記憶させる。そして、外部メモリ１に記憶された全てのデータを読出したか否か判断し（ステップ１０３）、まだ読出してないデータがある場合には、ステップ１０１での読出しとステップ１０２での記憶とを繰り返し行う。ここでは、外部メモリ１に記憶されて読出されるデータとして、１分間の動画像のデータと、その動画像と同時に再生される１分間の音声データとで構成されるビデオプログラムのデータとしてある。
【００１９】
ステップ１０３で、コントローラ１９が外部メモリ１に記憶された全てのデータを読出したと判断した場合と、ステップ１００で外部メモリ１が挿入されてないと判断した場合には、内部メモリ１３に記憶された画像データと音声データを、コントローラ１９の制御で、先頭のアドレスから順に読出す準備を行い（ステップ１０４）、その準備が出来た段階で、コントローラ１９の制御で内部メモリ１３に記憶されたデータを読出し（ステップ１０５）、その読出したデータを画像・音声デコーダ１４に供給する。ここで、読出された画像データと音声データのデコードを行い（ステップ１０６）、デコードされた画像データ（アナログ映像信号）を液晶ドライバ１５に供給して、液晶表示パネル１６に１分間の動画像を表示させる（ステップ１０７）。また、動画像の表示に連動して、内部メモリ１３から読出されてデコードされた音声信号を、スピーカ１８に供給して放音させる。
【００２０】
そして、コントローラ１９は、内部メモリ１３からのデータ読出しが、記憶されたデータの最終ポイントになったか否か判断し（ステップ１０８）、最終ポイントになってない場合には、ステップ１０５からステップ１０７までの表示処理（及び音声出力処理）を繰り返し行い、ステップ１０８で最終ポイントになったと判断したとき、ステップ１００に戻る。このステップ１００に戻ったとき、外部メモリ１の新たな装着を検出しない場合には、ステップ１０４からの表示処理に移り、外部メモリ１の新たな装着を検出したとき、ステップ１０１からステップ１０３までの読み込み処理に移る。
【００２１】
従って、例えばこの画像表示装置１０の電源を投入させたとき、この画像表示装置１０に外部メモリ１が装着されている場合には、その装着された外部メモリ１から自動的にビデオプログラムを構成する画像データと音声データが読出されて、内部メモリ１３に転送されて蓄積され、その転送作業が終了すると、直ちにその蓄積された画像データによる表示と音声データの出力とが行われ、その画像の表示と音声の出力とが先頭から末尾まで繰り返し実行される。電源コンセントからこの装置のプラグを外すまで繰り返し実行される。
【００２２】
そして、画像表示装置１０に新たなビデオプログラムをセットしたい場合には、その新たなビデオプログラムの画像データと音声データが記憶された外部メモリ１を装着すれば良く、その装着した外部メモリ１から自動的にデータが読出されて内部メモリ１３の記憶データが更新され、以後はその更新された画像データによる表示と音声データによる出力が繰り返し実行される。
【００２３】
このように本例の画像表示装置１０によると、この装置１０にスティック状の外部メモリ１を装着させるだけで、自動的に外部メモリ１に記憶された画像データと音声データが読出されて、内部メモリ１３に転送されて、その内部メモリ１３に転送されたデータにより繰り返し画像の表示と音声再生とが繰り返し実行されるので、電源投入のための作業と、外部メモリ１の挿入及び抜き取りの作業を行うだけで、外部メモリ１に記憶された任意のビデオプログラムをセットして、繰り返し再生させることができる。従って、例えば商店や街頭などに本例の画像表示装置１０を設置して、その画像表示装置１０で流したい宣伝などのビデオプログラムが記憶された外部メモリ１を一度装着するだけで、以後は繰り返しそのビデオプログラムが再生され、使い勝手が非常に良い。
【００２４】
この場合、本例の画像表示装置１０は、メカ的に動く部分が全くないので、長時間に渡って連続的に作動させても、磨耗するような部分がなく、故障する可能性が非常に少なく、商店や街頭などで長期間連続的に作動させるのに適している。
【００２５】
また、本例においては外部メモリ１から読出したデータを直接デコーダに供給するのではなく、一旦内部メモリ１３に蓄積させて、その蓄積されたデータをデコーダ１４に供給して表示や音声再生を行うようにしたので、外部メモリ１からのデータ転送速度が比較的遅い速度に制限されている場合であっても、動画像と音声で構成されるビデオプログラムを支障なく再生できる。例えば、１分間の画像データと音声データを外部メモリ１から読出すのに約３分かかるような場合でも、本例のように一旦内部メモリ１３に蓄積させて、その内部メモリ１３から読出させることで、１分間の画像データと音声データの再生がスムーズに行える。従って、外部メモリ１及びその読出し回路１６として、高速データ転送が行える回路とする必要がない。
【００２６】
また、外部メモリ１から内部メモリ１３に転送させた上で再生させることで、画像や音声の繰り返し再生中には、画像表示装置１０から外部メモリ１を外しておくことで、外部メモリ１が紛失するようなことがなくなる。また、例えば本例の画像表示装置１０を多数用意して、その多数の画像表示装置１０で同じビデオプログラムを再生させたい場合、そのビデオプログラムを記憶させた１個の外部メモリ１だけを用意して、その１個の外部メモリ１を用意された画像表示装置１０に１台ずつ順に装着して読み込ませる作業を行うことで、全ての画像表示装置１０から同じビデオプログラムを再生させることが可能になり、１個の外部メモリ１を用意するだけで、同じビデオプログラムの再生が行えるようになる。しかも、多数用意された画像表示装置１０を信号線などで接続する必要がない。
【００２７】
なお、上述した実施の形態では、外部メモリ１から転送させて再生させるビデオプログラムは、動画像と音声で構成されるようにしたが、画像データとしては１枚又は複数枚の静止画像で構成されるようにしても良い。この場合、複数枚の静止画像で構成される場合には、所定時間毎にその静止画像の表示を１枚ずつ別のものに変えるようにすれば良い。また、音声データのない画像データを再生させるようにしても良い。この場合、画像表示装置１０にスピーカ１８を設けない構成として、画像データの再生専用装置としても良い。
【００２８】
また、上述した実施の形態で説明したように、外部メモリ１から内部メモリ１３への画像データや音声データの読出しに比較的長い時間がかかる場合には、コントローラ１９の制御で、そのデータの読出し中には、液晶表示パネル１６に「データ読み込み中です」などと表示させ、データ読み込みが終了したとき、液晶表示パネル１６に「データ読み込み終了しました メモリを外して下さい」などと表示させても良い。或いは文字の代わりに図形などで同様の表示を行っても良い。
【００２９】
また、上述した実施の形態では、画像表示装置１０に全く操作スイッチを設けない構成としたが、音声調整用ボリュームなどの限定された操作部だけを設けても良い。また、電源スイッチを設けるようにしても良い。さらに、モード設定用スイッチなどを設けて、そのスイッチの操作で外部メモリ１からのデータ読み込みや、連続再生の開始などが行われるようにしても良い。
【００３０】
また、外部メモリ１として比較的大容量のものを使用して、複数のビデオプログラムを記憶させるようにし、その複数のビデオプログラムの内の任意のプログラムだけを、装着した画像表示装置１０の内部メモリ１３に転送させるようにしても良い。この場合、例えば画像表示装置１０にモード設定用のスイッチがある場合、転送させるビデオプログラムを読み込み作業を行う者のスイッチの操作でプログラムを選択させる。
【００３１】
また、内部メモリ１３として十分な記憶容量がある場合には、外部メモリ１に記憶された複数のビデオプログラムを、全て内部メモリ１３に転送させて蓄積させるようにしても良い。この場合には、記憶された複数のビデオプログラムのどのプログラムの再生を行うのかを、モード設定スイッチなどで選択するようにすれば良い。このように複数のビデオプログラムが内部メモリ１３に記憶されている場合には、図３のフローチャートで説明した内部メモリからのデータ読出し時には、ステップ１０４に括弧書きで示したように、対応したビデオプログラムが記憶された任意の位置からデータを読出し、そのビデオプログラムの最終ポイントまで再生したとき、元の位置からの読出しに戻るようにすれば良い。
【００３２】
また、このように複数のビデオプログラムを内部メモリ１３が記憶した場合には、何らかの設定により、自動的に内部メモリ１３から読出して再生させるプログラムを変化させるようにしても良い。即ち、例えば画像表示装置１０のコントローラ１９が時計機能を内蔵して、その時計機能で昼間の時間帯であると判断したとき、昼間の時間帯に多い客を対象にした宣伝用のビデオプログラムを流し、夜間の時間であると判断したとき、夜間の時間帯に多い客を対象にした宣伝用のビデオプログラムを流すように制御を行うことで、時間帯毎に適切な宣伝が行えるようになる。
【００３３】
また、例えば画像表示装置１０の内部メモリ１３が複数の画像データを記憶できる容量を有する場合に、その複数の画像データを合成して表示するようにしても良い。例えば図４に示すように、宣伝用のビデオプログラム製作会社などの編集装置２０で製作されて、その編集装置２０に接続された外部メモリ書込み装置２１で外部メモリ１ａに宣伝用のビデオプログラムを記憶させる。そして、その外部メモリ１ａを各販売店に配付し、各販売店ではその店に設置された画像表示装置１０の外部メモリ挿入部１１ａに配付された外部メモリ１ａを装着させて、宣伝用のビデオプログラムを画像表示装置１０内のメモリ１３に取り込ませる。そして、各販売店側で、そのビデオプログラムに合成して表示させたい文字や画像がある場合には、その販売店に設置されたパーソナルコンピュータ装置３０を使用して、表示させたい文字や画像などを入力させた後、販売店側で用意した外部メモリ１ｂをそのパーソナルコンピュータ装置３０の外部メモリスロット３１に装着させ、その外部メモリ１ｂにデータを画像データとして記憶させる。
【００３４】
そして、この画像データが記憶された外部メモリ１ｂを、パーソナルコンピュータ装置３０の外部メモリスロット３１から取り出して、画像表示装置１０の外部メモリ挿入部１１ａに装着させて、内部メモリ１３に取り込ませる。そして、画像表示装置１０でビデオプログラムを再生させる際には、例えば図４に示すように、外部メモリ１ａから読み込んだビデオプログラムで構成される画像１６ａを表示パネル１６に表示させると共に、外部メモリ１ｂから読み込んだ文字１６ｂなどの画像を合成して表示させ、その販売店で特にアピールしたい文字や画像を同時に表示させることができる。ここでは同時に合成して表示させる例としたが、例えば外部メモリ１ａから読み込んだビデオプログラムを再生させた後、外部メモリ１ｂから読み込んだビデオプログラムを再生させるように、交互に２つのビデオプログラムを連続再生するような合成表示を行っても良い。この場合、例えば外部メモリ１ａから読み込んだビデオプログラムは動画像のビデオプログラムとし、外部メモリ１ｂから読み込んだビデオプログラムは静止画像のビデオプログラムとしても良い。
【００３５】
また、上述した実施の形態では、外部メモリ１から読出した画像データを、内部メモリに一旦蓄積させて、その蓄積された画像データを繰り返し再生するようにしたが、外部メモリからのデータ転送速度が十分に高い場合には、外部メモリから直接画像データや音声データを読出してデコーダに供給して、再生処理させるようにしても良い。図５のフローチャートは、この場合の例を示したもので、この画像表示装置の電源が投入されてコントローラが動作を開始すると、接続された外部メモリの先頭からのデータ読出し準備を行い（ステップ１１１）、その準備が整うと外部メモリからのデータ読出しを行い（ステップ１１２）、読出されたデータのデコーダでの変換を行い（ステップ１１３）、変換された画像データによる表示処理と音声データの出力処理とを行う（ステップ１１４）。そして、外部メモリからのデータの読出しを終了するまで、ステップ１１２からステップ１１４までの処理を繰り返し行い、外部メモリからのデータの読出しを終了したと判断したとき（ステップ１１５）、ステップ１１１に戻って、再度メモリの先頭からの読出し準備を行う。このように処理することで、装着された外部メモリの記憶データを直接使用して、ビデオプログラムを繰り返し再生する処理が行われる。
【００３６】
また、上述した実施の形態では、画像表示装置に装着される記憶媒体として、半導体メモリが収納されたスティック状のメモリを使用したが、ＰＣＭＣＩＡ規格のメモリカードなどの他の外部メモリを記憶媒体として使用しても良い。また、ＣＤ−ＲＯＭなどの光ディスクや光磁気ディスクなどのディスク状の記憶媒体を装着して、その記憶媒体から記憶データを読出すデータ読出し部を画像表示装置に内蔵させて、そのディスク状記憶媒体から読出した画像データや音声データを繰り返し再生させるようにしても良い。
【００３７】
また、上述した実施の形態では、主として商店や街頭などで宣伝用として画像や音声を再生させる用途としての画像表示装置として説明したが、同様の繰り返し再生が必要な各種用途の画像表示装置にも本発明が適用できることは勿論である。画像表示装置の形状についても、図２に示したような形状に限定されるものでは、画像表示手段を備えた各種表示装置に適用できる。例えば、陰極線管による表示手段を使用しても良い。また、本発明の画像表示装置を、他の装置と組み合わせるようにしても良い。
【図面の簡単な説明】
【００３８】
【図１】本発明の一実施の形態による構成を示すブロック図である。
【図２】本発明の一実施の形態による装置の形状の例を示す斜視図である。
【図３】本発明の一実施の形態による処理を示すフローチャートである。
【図４】本発明の他の実施の形態によるシステム構成例を示す説明図である。
【図５】本発明の更に別の実施の形態による処理を示すフローチャートである。
【符号の説明】
【００３９】
１，１ａ，１ｂ…外部メモリ、１０…画像表示装置、１１…外部メモリ装着部、１２…データ読出し回路、１３…内部メモリ、１４…画像・音声デコーダ、１５…液晶パネルドライバ、１６…液晶表示パネル、１８…スピーカ、２０…編集装置、３０…パーソナルコンピュータ装置
【図１】
0005228870.tif 000002
【図２】
0005228870.tif 000003
【図３】
0005228870.tif 000004
【図４】
0005228870.tif 000005
【図５】
0005228870.tif 000006